(57)【要約】【課題】上大入賞口に入賞した遊技球が入賞球検出センサーを通過し終わるまで遊技者が視認でき、上大入賞口及び入賞球誘導通路の遊技盤上における占有スペースを小さくできるパチンコ遊技機を提供する。【解決手段】遊技盤３０と、演出表示装置４１と、演出表示装置の上方に設けられて、遊技球５３が入賞不可能な閉状態と入賞可能な開状態の相互間で変形可能な上大入賞口５２と、上大入賞口に入賞した遊技球を誘導する入賞球誘導通路８０と、入賞球誘導通路に付設されて遊技球の通過を検出する入賞球検出センサー８６とを有し、入賞球誘導通路は、遊技盤の表面側から裏面側に向かって直線的に延びる部分を有し、該部分に入賞球検出センサーのコイル部８６ｂを配設して該コイル部の開口を遊技者側に向かわせ、入賞球誘導通路を光透過構造として遊技球がコイル部を通過する直前から通過し終わるまでの様子を遊技者が連続的に視認できるようにした。【選択図】図６
2010167072.tif 000002
【特許請求の範囲】
【請求項１】
遊技者に相対する遊技盤と、
前記遊技盤に設けられたディスプレイ型の演出表示装置と、
前記遊技盤に設けられた始動入賞口と、
前記遊技盤において前記演出表示装置の上方に設けられ、遊技球が入賞不可能な閉状態と入賞可能な開状態との相互間で変形可能な上大入賞口と、
前記遊技盤に設けられ、前記上大入賞口に入賞した遊技球を該遊技盤の表面側から裏面側へと誘導する入賞球誘導通路と、
前記入賞球誘導通路にコイル部が配設され、該コイル部内を通過する遊技球を該コイル部における磁気特性の変化に基いて検出する入賞球検出センサーと、
を備え、
前記始動入賞口への遊技球の入賞に基き、遊技者に有利な大当たり遊技状態を発生させるか否かの抽選が行われて、その抽選イメージ及び抽選結果が前記演出表示装置により遊技者に表示され、抽選結果が所定の大当たりとなった場合には前記上大入賞口が閉状態から開状態に変形して遊技球が入賞し易くなる大当たり遊技状態を発生させるパチンコ遊技機において、
前記入賞球誘導通路は前記遊技盤の表面側から裏面側に向かって延びる部分を有し、該部分に前記入賞球検出センサーの前記コイル部を配設することで該コイル部の開口を遊技者側に向かわせるとともに、前記入賞球誘導通路を光透過構造とすることで、遊技球が前記コイル部を通過する直前から該コイル部を通過し終わるまでの様子を遊技者が連続的に視認できるようにしたことを特徴とするパチンコ遊技機。
【発明の詳細な説明】
【技術分野】
【０００１】
本発明はパチンコ遊技機に関し、特に遊技盤の略中央部にディスプレイ型の演出表示装置が設けられ、その上部に開閉式の上大入賞口が設けられたパチンコ遊技機に関するものである。
【背景技術】
【０００２】
従来、パチンコ遊技機においては、例えば特許文献１に開示されているように、遊技盤の略中央部に、所謂センター役物と呼ばれる液晶ディスプレイ等を用いた演出表示装置が設けられているものがある。そして、この演出表示装置の下方に始動入賞口が配置され、さらにその下方にはアクチュエーターの作動により開閉する下大入賞口が配置されている。また、近年、演出表示装置の上方に、同じくアクチュエーターにより開閉する上大入賞口が配設されているものがでてきた。
【０００３】
上大入賞口からは入賞球誘導通路（特許文献１では遊技球通路）が演出表示装置の表示画面を避けるように、表示画面の上縁部に沿って一側に延びており、その端部から先が遊技盤の裏面側に向かって延び、この入賞球誘導通路の途中に入賞球検出手段（特許文献１ではカウントスイッチ）が設置されている。
【０００４】
遊技時には、始動入賞口への遊技球の入賞に基き、遊技者に有利な大当たり遊技状態を発生させるか否かの抽選が行われ、その抽選イメージ及び抽選結果が演出表示装置により遊技者に表示される。そして、その結果が大当たりとなった場合には、上大入賞口及び／又は下大入賞口が所定時間開放され、上大入賞口及び／又は下大入賞口に遊技球が入賞し易くなる大当たり遊技状態を発生させるようになっている。
【０００５】
上大入賞口に入球した遊技球は、入賞球誘導通路を通過し、その際に入賞球検出手段により検知（カウント）され、その検出データが制御装置に入力される。なお、入賞球検出手段としては、一般に、通電したコイルスプール内に遊技球を通過させ、その際に生じる磁界の変化を検出するコイル式のセンサーが用いられる。
【０００６】
また、入賞球誘導通路の、演出表示装置の表示画面の上縁部に沿って延びる区間は透明材料により形成されており、その内部を通る遊技球を遊技者が目視可能にされている。これは、上大入賞口に入賞した遊技球を遊技者に所定の時間見せることにより、遊技者に入賞状態をより深く印象付けるためである。
【先行技術文献】
【特許文献】
【０００７】
【特許文献１】特開２００８−２７２３１７号公報
【発明の概要】
【発明が解決しようとする課題】
【０００８】
しかしながら、上述のように入賞球誘導通路が演出表示装置の表示画面を避けるようにして表示画面の上縁部に沿って延設されているため、入賞球誘導通路が演出表示装置の装飾等の上を横切ることになり、上大入賞口及び入賞球誘導通路を設置するための遊技盤面上における占有スペースが大きくなるとともに、演出表示装置の装飾等の設計自由度が低下し、さらには演出表示装置の表示領域（表示面積）が限定されるという問題があった。
【０００９】
また、特許文献１に開示されているパチンコ遊技機では、演出表示装置の表示画面の上縁部に沿って延びる入賞球誘導通路（遊技球通路）の途中に入賞球検出手段（カウントスイッチ）が設置されていたため、入賞球誘導通路を通る入賞球が入賞球検出手段の部分を通過する時には入賞球が一旦見えなくなり、先述のような入賞状態の好印象が薄れてしまうという難点があった。
【００１０】
本発明は、このような事情に鑑みてなされたものであり、演出表示装置の上方に設けられる上大入賞口に入賞した遊技球を、それが入賞球検出手段を通過し終わるまで遊技者が視認できるようにしつつ、この上大入賞口及びこれに繋がる入賞球誘導通路の遊技盤上における占有スペースを小さくすることのできるパチンコ遊技機を提供することを目的とする。
【課題を解決するための手段】
【００１１】
かかる課題を解決するために、本発明の請求項１に記載の発明は、遊技者に相対する遊技盤と、前記遊技盤に設けられたディスプレイ型の演出表示装置と、前記遊技盤に設けられた始動入賞口と、前記遊技盤において前記演出表示装置の上方に設けられ、遊技球が入賞不可能な閉状態と入賞可能な開状態との相互間で変形可能な上大入賞口と、前記遊技盤に設けられ、前記上大入賞口に入賞した遊技球を該遊技盤の表面側から裏面側へと誘導する入賞球誘導通路と、前記入賞球誘導通路にコイル部が配設され、該コイル部内を通過する遊技球を該コイル部における磁気特性の変化に基いて検出する入賞球検出センサーとを備え、前記始動入賞口への遊技球の入賞に基き、遊技者に有利な大当たり遊技状態を発生させるか否かの抽選が行われて、その抽選イメージ及び抽選結果が前記演出表示装置により遊技者に表示され、抽選結果が所定の大当たりとなった場合には前記上大入賞口が閉状態から開状態に変形して遊技球が入賞し易くなる大当たり遊技状態を発生させるパチンコ遊技機において、前記入賞球誘導通路は前記遊技盤の表面側から裏面側に向かって延びる部分を有し、該部分に前記入賞球検出センサーの前記コイル部を配設することで該コイル部の開口を遊技者側に向かわせるとともに、前記入賞球誘導通路を光透過構造とすることで、遊技球が少なくとも前記コイル部を通過する直前から該コイル部を通過し終わるまでの様子を遊技者が連続的に視認できるようにしたパチンコ遊技機としたことを特徴とする。
【発明の効果】
【００１２】
請求項１に係る発明によれば、上大入賞口及び入賞球誘導通路の遊技盤上における占有スペースを小さくし、演出表示装置等の設計自由度を向上させると共に、その表示領域を拡張することができる。また、遊技者が、上大入賞口に入賞した遊技球を、それが少なくとも入賞球検出センサーのコイル部を通過する直前から通過し終わるまでの様子を連続的に視認することができる。
【図面の簡単な説明】
【００１３】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】図３のIV部を拡大した上大入賞口付近の拡大図である。
【図５】図４に示す範囲を遊技盤の裏面側から見た裏面図である。
【図６】図４のVI-VI断面により本発明の一実施形態を示す縦断面図である。
【発明を実施するための形態】
【００１４】
以下、本発明の実施の形態におけるパチンコ遊技機について図面を参照しながら説明する。図１は、本発明の実施の形態におけるパチンコ遊技機を表面側からみた斜視図であり、図２は、パチンコ遊技機を背面側からみた斜視図である。
【００１５】
このパチンコ遊技機１０は、図１に示すように、外枠１１、前枠１２、窓枠１３及び当該窓枠１３に覆われた遊技盤３０（後に詳述）などを備えている。また、パチンコ遊技機１０の背面には、図２に示すように、後述する液晶ディスプレイ型の演出表示装置４１等の表示制御を行う表示サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１６】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１７】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動されて上皿１５内のパチンコ球が弾き出される。
【００１８】
窓枠１３は前枠１２の前面に装着されている。この窓枠１３には円形孔状の窓部１７が形成されており、窓部１７の内周面には透明なガラス窓１７ａが固定されている。この窓枠１３の左上隅部及び右上隅部の裏面には、遊技音を出力するスピーカ１８が固定されている。また、窓枠１３には複数の装飾ＬＥＤが固定されている。
【００１９】
上述の遊技盤は、前枠１２の後面に装着されている。以下、この遊技盤及び遊技盤に備えられる各構成要素について図３を参照して詳細に説明する。図３は、本発明の実施の形態における遊技盤３０の正面図である。この遊技盤３０は、上述のように前枠１２の後面に装着されており、窓枠１３のガラス窓１７ａに前方から覆われて遊技者に相対する。
【００２０】
遊技板３１は、遊技盤３０の有する各構成部材を固定するための板である。この遊技板３１の前面には環状のレールセット３２が固定され、遊技板３１上にパチンコ球の発射通路３１ａと遊技領域３１ｂとが区画形成されている。遊技領域３１ｂには複数の障害釘３５が打設されている。
【００２１】
遊技時には、上述の打球槌が弾いたパチンコ球が発射通路３１ａを通して遊技領域３１ｂ内に打ち出され、この打ち出されたパチンコ球が障害釘３５に当たりながら遊技領域３１ｂ内を落下し、後述する複数の入賞口の何れにもに入賞しなかったパチンコ球は遊技領域３１ｂの最下部に設けられたパチンコ球排出口３７から排出される。
【００２２】
遊技盤３０のほぼ中央部には、センター役物と呼ばれるカラー液晶ディスプレイ等を用いた演出表示装置４１が設けられている。この演出表示装置４１は、遊技者に相対する位置に広い面積の表示画面４１ａを有している。また、演出表示装置４１の例えば右上方から右側方にかけてと、左側方とに、それぞれ固定演出部材４３，４４が設置され、演出表示装置４１の直ぐ下方に可動演出部材４５が設置されている。可動演出部材４５は、図示しないアクチュエーター（ソレノイド、モータ等）に駆動されて作動する。
【００２３】
遊技領域３１ｂ内において、演出表示装置４１及び可動演出部材４５の下方には始動入賞口４８が配置されている。この始動入賞口４８は、上方に開口するポケット状に形成されており、開閉可能な一対の開閉自在な可動片４８ａを備えている。始動入賞口４８は、可動片４８ａが閉塞されている時には開口面積が小さくなってパチンコ球が入賞し難くなり、可動片４８ａが開放されている時には開口面積が大きくなってパチンコ球が入賞し易くなる。
【００２４】
また、始動入賞口４８の下方に下大入賞口５１が配置されている。この下大入賞口５１は図示しないアクチュエーターの作動により開閉する開閉扉５１ａを備えており、この開閉扉５１ａは、後述する大当たり遊技状態において開口し、その際には下大入賞口５１が上方に向かってポケット状に幅広く開口し、多数のパチンコ球が同時かつ連続的に下大入賞口５１に入賞可能となる。
【００２５】
さらに、演出表示装置４１の上方で表示画面４１ａと重ならない位置、例えば演出表示装置４１の左上方付近に、同じくアクチュエーターにより開閉し、本発明の要部となる上大入賞口５２が配設されている。図４は図３のIV部を拡大した上大入賞口５２付近の拡大図であり、図５は図４に示す範囲を遊技盤３０の裏面側から見た裏面図である。また、図６は図４のVI-VI断面により本発明の一実施形態を示す縦断面図である。なお、図４及び図６中に示す部材５３はパチンコ球である。
【００２６】
図３及び図４に示すように、演出表示装置４１の左上方の範囲は、透明な樹脂材料によって樹脂成形された装飾カバー部材５４により部分的に覆われている。この装飾カバー部材５４は、図６にも示すように複数のビス５５により遊技板３１の前面に締結されており、この装飾カバー部材５４に入賞部５６が一体成形、又は嵌め込み、或いは接着等により設けられている。入賞部５６の位置は演出表示装置４１の直上部である。
【００２７】
図６に示すように、入賞部５６は、装飾カバー部材５４の表面から寸法Ｌだけ盛り上がり、上方に開口する入賞開口部５６ａを有するポケット状に形成され、且つ透明な樹脂材料等により光透過構造とされている。また、装飾カバー部材５４に一体成形された装飾凸部５４ａが入賞開口部５６ａの上方を右側から庇状に覆っている（図４参照）。
【００２８】
一方、入賞部５６（入賞開口部５６ａ）の左上部近傍には、遊技盤３０の板面に直交する回動軸５８を支点にして開閉可動片６０が回動可能に軸支され、この開閉可動片６０と、入賞開口部５６ａとを含んで上大入賞口５２が構成されている。開閉可動片６０は、図４中に示す閉塞位置６０ａと開放位置６０ｂとの間を回動する。
【００２９】
開閉可動片６０が閉塞位置６０ａにある時には、開閉可動片６０と装飾凸部５４ａとにより入賞部５６（入賞開口部５６ａ）の上方の空間が閉塞されるため、上大入賞口５２はパチンコ球５３が入賞不可能な閉状態に形状を変形させる。また、開閉可動片６０が開放位置６０ｂにある時には、開閉可動片６０と装飾凸部５４ａとの間にパチンコ球５３の通過スペース６１が生じ、入賞開口部５６ａの上方の空間が開放されるため、上大入賞口５２はパチンコ球５３が入賞可能な開状態に形状を変形させる。
【００３０】
上大入賞口５２が開状態にある時に開閉可動片６０と装飾凸部５４ａとの間に生じるパチンコ球５３の通過スペース６１の上方には、複数の障害釘３５が逆八の字状に配列されているため、多数のパチンコ球５３が障害釘３５に誘導されて上大入賞口５２（入賞開口部５６ａ）に入賞することができる。
【００３１】
図５及び図６に示すように、装飾カバー部材５４の裏面側には樹脂製のバックカバー部材６５がビス６６により固定されており、このバックカバー部材６５に形成された軸受部６７（図５参照）に前記回動軸５８の中間部が軸支され、この回動軸５８の後端部が軸受部６７から突出し、この突出部に駆動レバー６８が回転一体に設けられ、駆動レバーにレバー部６８ａが突設されている。
【００３２】
また、バックカバー部材６５には金属板からなるソレノイドブラケット７１が２個のビス７２で締結され、このソレノイドブラケット７１の内側にアクチュエーターであるソレノイド７３が２個のビス７４で締結されている。ソレノイド７３は、そのプランジャー７３ａが下方に突出している。プランジャー７３ａの下端には樹脂製のエンド部材７６が固定され、このエンド部材７６に一体成形されたコの字形のレバーホルダー７６ａが駆動レバー６８のレバー部６８ａを把持している。また、プランジャー７３ａの周囲且つソレノイド７３とエンド部材７６との間にリターンスプリング７８が弾装されている。
【００３３】
ソレノイド７３の非通電時には、リターンスプリング７８の付勢力によりプランジャー７３ａがソレノイド７３から下方に突出した状態に保持され、これによりエンド部材７６のレバーホルダー７６ａが駆動レバー６８のレバー部６８ａを下方に押し下げて図５の状態とし、この時に遊技盤３０の表側では上大入賞口５２の開閉可動片６０が閉塞位置６０ａに置かれて上大入賞口５２が閉状態となる。
【００３４】
また、ソレノイド７３に通電がなされると、ソレノイド７３がリターンスプリング７８の付勢力に抗してプランジャー７３ａを上方に引き上げ、これによりレバーホルダー７６ａがレバー部６８ａを上方に持ち上げて開閉可動片６０を開放位置６０ｂに回動させ、上大入賞口５２が開状態となる。
【００３５】
一方、遊技盤３０には入賞球誘導通路８０が設けられている。この入賞球誘導通路８０は、先述の入賞部５６と、この入賞部５６に続く形で遊技盤３０の表面側から裏面側に向かって直線的に延びる直線通路部分８１とを含んで構成されている（図４、図６参照）。直線通路部分８１は、装飾カバー部材５４とバックカバー部材６５とを貫通するトンネル通路状に形成され、その通路方向が遊技者側に指向している。
【００３６】
入賞球誘導通路８０の起点となる入賞部５６は、先述の通り、演出表示装置４１の直上部に位置して光透過構造とされているが、この入賞部５６に続く直線通路部分８１も、透明な樹脂材料等により形成されて光透過構造とされている。また、直線通路部分８１は、入賞部５６から遊技盤３０の裏面側に向かって軽く下方に傾斜している。
【００３７】
他方、バックカバー部材６５には角パイプ状の入賞球排出通路８２が数点のビス８３で固定されている。この入賞球排出通路８２は、その入口部８２ａ（図５参照）が直線通路部分８１の後端部にほぼ直角な角度で連通し、ここからバックカバー部材６５の下縁に沿って軽く下方に傾斜した角度で横方に延び、その先に図示しないパチンコ球回収装置が接続される。
【００３８】
さらに、直線通路部分８１の中間部には入賞球検出センサー８６が付設されている。この入賞球検出センサー８６は、パチンコ遊技機に一般的に用いられているコイル式のセンサーであり、基板等が組み込まれたセンサー本体８６ａと、リング状のコイル部８６ｂとを具備している。コイル部８６ｂには、パチンコ球５３が通過する開口８６ｃが形成されている。開口８６ｃの内径サイズは直線通路部分８１の内径サイズに等しい。
【００３９】
図６に示すように、コイル部８６ｂは、直線通路部分８１の中間部に挿入される形で設置され、その開口８６ｃの通過方向Ｐが直線通路部分８１の通路方向と一致し、これにより開口８６ｃが遊技者側に向いている。
【００４０】
直線通路部分８１を通過するパチンコ球５３が開口８６ｃを通過すると、コイル部８６ｂの磁気特性が変化し、この変化が遊技球検出センサー８６に検出され、その検出データが主基板２３等の制御装置に入力される。
【００４１】
なお、遊技盤３０の遊技領域３１ｂ内には、先述の始動入賞口４８、下大入賞口５１、上大入賞口５２の他に、図示しない複数の一般入賞口が設置されている。
【００４２】
以上のように構成されたパチンコ遊技機１０において、その遊技時には、始動入賞口４８へのパチンコ球５３の入賞に基き、例えば主基板２３により、遊技者に有利な大当たり遊技状態を発生させるか否かの抽選の演算が実行され、その抽選イメージ及び抽選結果が演出表示装置４１により遊技者に表示される。そして、この抽選の結果が大当たりとなった場合には、上大入賞口５２又は下大入賞口５１（或いは両方）が所定時間開状態となり、上大入賞口５２又は下大入賞口５１（或いは両方）にパチンコ球５３が入賞し易くなる大当たり遊技状態を発生させる。
【００４３】
上大入賞口５２が開放されてパチンコ球５３が上大入賞口５２に入賞した際には、上大入賞口５２及び入賞球誘導通路８０の高さがほぼ遊技者の目線の高さにあることに加えて、入賞球誘導通路８０の入賞部５６と、直線通路部分８１とが装飾カバー部材５４等と共に透明な樹脂材料で形成されて光透過構造となっていることと、上大入賞口５２から延びる入賞球誘導通路８０（直線通路部分８１）が、遊技盤３０の表面側から裏面側に向かって直線的に延びる通路であること、さらに入賞球検出センサー８６がパチンコ球５３の通過可能な開口８６ｃを有し、この開口８６ｃの通過方向Ｐが直線通路部分８１の通路方向と合致して遊技者側に指向していることから、遊技者は、上大入賞口５２に入賞したパチンコ球５３を、その入賞の直後から、入賞球誘導通路８０に進入して入賞球検出センサー８６（開口８６ｃ）を通過する直前、通過する最中及び通過し終わるまで連続的に視認することができる。
【００４４】
以上のように、本実施の形態のパチンコ遊技機１０によれば、演出表示装置４１の上方に設けられる上大入賞口５２に入賞したパチンコ球５３を、それが入賞球検出センサー８６を通過し終わるまで遊技者が連続的に視認できるようにして遊技者に入賞状態を印象付けつつ、上大入賞口５２及び入賞球誘導通路８０の遊技盤３０上における占有スペースを極めて小さくし、これにより演出表示装置４１の装飾等の設計自由度を飛躍的に向上させると共に、演出表示装置４１の表示領域を従来よりも拡張することができる。
【００４５】
また、上大入賞口５２に入賞したパチンコ球５３を遊技者に対して隠蔽することなく、入賞球検出センサー８６を上大入賞口５２の近くに配置できるため、上大入賞口５２から入賞球検出センサー８６までのパチンコ球５３の転動距離を短くし、上大入賞口５２に入賞してから制御装置が検出するまでのタイムラグを小さくすることができる。
【００４６】
なお、本実施の形態において、入賞球誘導通路８０の入口である入賞部５６は樹脂成形によりその全体が透明に形成されているが、この態様のみには限定されない。要するに、遊技者が入賞部５６越しに入賞球誘導通路８０の内部を通るパチンコ球５３を、それが入賞球検出センサー８６を通過し終えるまで視認できればよい。
【００４７】
また、本実施の形態では、パチンコ球５３を、それが上大入賞口５２に入賞した直後から、入賞球検出センサー８６（開口８６ｃ）を通過する直前、通過する最中及び通過し終わるまで視認できるようになっていたが、本発明はこれに限るものではなく、パチンコ球を、それが少なくとも入賞球検出センサー８６（開口８６ｃ）を通過する直前から通過し終わるまで視認できるようになっていれば良い。但し、入賞したパチンコ球を、より長い時間視認できるようになっている方が、遊技者に入賞状態をより深く印象付けることができ、遊技の興趣を向上させることができる。
【符号の説明】
【００４８】
１０…パチンコ遊技機、３０…遊技盤、４１…演出表示装置、４１ａ…表示画面、４８…始動入賞口、５２…上大入賞口、５３…パチンコ球（遊技球）、８０…入賞球誘導通路、８１…直線通路部（遊技盤の表面側から裏面側に向かって延びる部分）、８６…入賞球検出センサー、８６ｂ…コイル部、８６ｃ…開口
【図１】
2010167072.tif 000003
【図２】
2010167072.tif 000004
【図３】
2010167072.tif 000005
【図４】
2010167072.tif 000006
【図５】
2010167072.tif 000007
【図６】
2010167072.tif 000008